(57)【要約】【課題】元原稿画像情報の校正を紙原稿上で行った場合に、紙原稿から元原稿画像情報に対する情報付加または削除の利便性を向上させる。【解決手段】画像生成手段２７では、処理指示生成手段２６により複数生成された処理指示に基づく画像をすべて生成し、生成されたすべての画像を画像提示手段２８が提示する。画像提示手段２８により提示された画像を、処理指示選定手段２９がユーザの指定に従って選定する。選定された画像を受信することにより画像生成手段２７は最終画像を生成する。【選択図】        図３
2010074447.tif 000002
【特許請求の範囲】
【請求項１】
元原稿画像情報および当該元原稿画像情報の格納位置を示すリンク情報が印刷された原稿についての原稿画像情報を生成する原稿画像情報生成手段と、
前記原稿画像情報の前記リンク情報に従って、前記元原稿画像情報を取得する元原稿情報取得手段と、
前記元原稿画像情報の画像構成を定義する画像構成ブロックを解析する画像内容解析手段と、
前記原稿画像情報と前記元原稿画像情報との差分に基づいて図形として解釈される加筆情報を取得する加筆情報取得手段と、
前記加筆情報の前記原稿画像情報上の位置に基づいて処理対象となる前記画像構成ブロックを選択する処理対象ブロック選択手段と、
選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成手段と、
生成された前記処理指示に従って前記元原稿画像情報の処理対象となる前記画像構成ブロックを加工して画像を生成する画像生成手段と、
前記処理指示生成手段により複数の処理指示が生成されて、前記画像生成手段により前記画像が複数生成された場合に、前記複数の画像をユーザに提示する画像提示手段と、
前記画像提示手段により提示された前記複数の画像からユーザにより選択された前記画像に対応する処理指示を選定する処理指示選定手段と、
を備え、
前記画像生成手段は、前記処理指示選定手段により選定された前記処理指示から最終画像を生成すること、
を特徴とする画像処理装置。
【請求項２】
前記画像提示手段は、前記画像生成手段により前記画像が複数生成された場合に、前記複数の画像を画像ごとに縮小し、縮小した前記複数の画像を一覧としてユーザに提示すること、
を特徴とする請求項１に記載の画像処理装置。
【請求項３】
前記画像提示手段は、前記画像生成手段により前記画像が複数生成された場合に、前記複数の画像を画像ごとに前記加筆情報が付与されている部分を切り出し、切り出した前記部分を前記画像ごとに順次ユーザに提示すること、
を特徴とする請求項１に記載の画像処理装置。
【請求項４】
前記画像提示手段は、前記画像生成手段により前記画像が複数生成された場合に、前記複数の画像を画像ごとに前記加筆情報が付与されている部分を切り出し、切り出した前記部分を拡大し、拡大した前記部分を前記画像ごとに順次ユーザに提示すること、
を特徴とする請求項１に記載の画像処理装置。
【請求項５】
前記画像生成手段は、前記画像提示手段により前記画像が選定されるごとに、前記画像を前記処理指示に対応付けて記憶手段に記憶し、
前記画像提示手段は、前記処理指示生成手段により複数の処理指示が生成された場合に、前記記憶手段から前記処理指示に対応する前記画像のうち記憶数の多い順に提示すること、
をさらに特徴とする請求項２または３に記載の画像処理装置。
【請求項６】
コンピュータを、
元原稿画像情報および当該元原稿画像情報の格納位置を示すリンク情報が印刷された原稿についての原稿画像情報を生成する原稿画像情報生成手段と、
前記原稿画像情報の前記リンク情報に従って、前記元原稿画像情報を取得する元原稿情報取得手段と、
前記元原稿画像情報の画像構成を定義する画像構成ブロックを解析する画像内容解析手段と、
前記原稿画像情報と前記元原稿画像情報との差分に基づいて図形として解釈される加筆情報を取得する加筆情報取得手段と、
前記加筆情報の前記原稿画像情報上の位置に基づいて処理対象となる前記画像構成ブロックを選択する処理対象ブロック選択手段と、
選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成手段と、
生成された前記処理指示に従って前記元原稿画像情報の処理対象となる前記画像構成ブロックを加工して画像を生成する画像生成手段と、
前記処理指示生成手段により複数の処理指示が生成されて、前記画像生成手段により前記画像が複数生成された場合に、前記複数の画像をユーザに提示する画像提示手段と、
前記画像提示手段により提示された前記複数の画像からユーザにより選択された前記画像に対応する処理指示を選定する処理指示選定手段、
として機能させるためのプログラムであって、
前記画像生成手段は、前記処理指示選定手段により選定された前記処理指示から最終画像を生成すること、
を特徴とするプログラム。
【請求項７】
画像処理装置で実行される画像処理方法であって、
前記画像処理装置は、制御部と記憶部を備え、
前記制御部において実行される、
元原稿画像情報および当該元原稿画像情報の格納位置を示すリンク情報が印刷された原稿についての原稿画像情報を生成する原稿画像情報生成ステップと、
前記原稿画像情報の前記リンク情報に従って、前記元原稿画像情報を取得する元原稿情報取得ステップと、
前記元原稿画像情報の画像構成を定義する画像構成ブロックを解析する画像内容解析ステップと、
前記原稿画像情報と前記元原稿画像情報との差分に基づいて図形として解釈される加筆情報を取得する加筆情報取得ステップと、
前記加筆情報の前記原稿画像情報上の位置に基づいて処理対象となる前記画像構成ブロックを選択する処理対象ブロック選択ステップと、
選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成ステップと、
生成された前記処理指示に従って前記元原稿画像情報の処理対象となる前記画像構成ブロックを加工して画像を生成する画像生成ステップと、
前記処理指示生成手段により複数の処理指示が生成されて、前記画像生成手段により前記画像が複数生成された場合に、前記複数の画像をユーザに提示する画像提示ステップと、
前記画像提示手段により提示された前記複数の画像からユーザにより選択された前記画像に対応する処理指示を選定する処理指示選定ステップと、
を含み、
前記画像生成ステップは、前記処理指示選定手段により選定された前記処理指示から最終画像を生成すること、
を特徴とする画像加工方法。
【発明の詳細な説明】
【技術分野】
【０００１】
本発明は、画像処理装置、プログラムおよび画像加工方法に関する。
【背景技術】
【０００２】
近年、原稿画像を読み取るスキャナ、スキャナで読み取った原稿画像を印刷する複写機、外部機器から入力された画像データを印刷するプリンタやファクシミリ装置、あるいは、これらの機能を兼ね備えたいわゆるＭＦＰ（Multi Function Peripheral）と称される複合機が用いられている。
【０００３】
この種の複合機にあっては、読み取ったコピーやファクシミリの原稿および外部機器から入力された画像データをＨＤＤ（Hard Disk Drive）に蓄積しておき、必要に応じて再出力や再送信することができるドキュメントボックス機能を搭載しているものがある。このようなドキュメントボックス機能によれば、作業効率を大幅に向上することができるとともに、ペーパーレスを実現することができる。
【０００４】
ところで、複合機のドキュメントボックス機能において原稿の校正を行なう場合には、原稿校正のためにＨＤＤ内の画像データを紙に出力し、そこに校正内容を手書きで加筆する、という手順を経ることになる。この場合、紙上で加筆した校正内容は、元の画像データに対して手作業で反映させることになる。紙に印刷された情報と電子データとして保存されている情報とでは、その使い勝手が異なるものとなっている。紙に書かれている情報は、紙と筆記用具があれば、利用場所の制限が少なく、多くの場所で参照や追加修正作業をおこなうことができる。しかし、電子データの場合は、それを扱うための電子装置が必要である。また、場合によっては電源が必要な場合もあり、使用場所が制限される場合がある。しかしながら、修正や編集という機能は優れている。ただし、使用する電子機器に精通していないと複雑な編集は難しい場合もある。
【０００５】
そこで、このような問題を解決するために、紙原稿への加筆内容から利用者が付加あるいは置換しようとしている情報を読み取り元の画像データに反映することで、画像データへの情報付加・置換の利便性を向上させることができるようにした技術が提案されている（例えば、特許文献１参照）。
【０００６】
特許文献１に記載の技術は、編集作業を容易にするために、原稿となる画像データを表示しておき、その画面にスタイラスペン等で手書き入力を行って編集作業を行うものである。より具体的には、特許文献１には、あらかじめ登録している編集記号に近いものをコマンドとして認識し、追加分を仮名漢字変換で入力可能にする技術が記載されている。このように特許文献１によれば、従来から紙原稿で用いられてきた編集記号を電子機器の表示画面を用いて作業できるようになっている。
【０００７】
【特許文献１】特許第３３９８９８１号公報
【発明の開示】
【発明が解決しようとする課題】
【０００８】
しかしながら、特許文献１に記載の技術によれば、編集指示用の命令は、登録しているいくつかの命令に制限されている。また、編集対象領域を指示するにも制限がある。
【０００９】
加えて、課題となるのは、紙原稿に加筆した内容を電子ファイル上のどの位置に反映させるかということである。例えば、原稿の文章に線が引かれている場合、それが、強調表示を意味する下線なのか、削除を意味する取消線なのかを判別する必要がある。
【００１０】
また、この場合に、加筆した内容または位置を何通りもに判別できる場合に、どのように特定するかということである。例えば、原稿の文章に線が引かれている場合、それが、強調表示を意味する下線とも、削除を意味する取消線とも判別できる場合に、ユーザの意図を正確に反映した処理を行う必要がある。
【００１１】
さらに、課題となるのは、紙原稿に加筆された内容を文字として解釈するか図形として解釈するかということである。例えば、原稿に四角形が加筆されている場合、それが、“口”を意味する文字なのか“四角”を表現した図形なのかを判別する必要がある。これが問題となるのは、その結果により後処理の仕方が異なるためである。
【００１２】
本発明は、上記に鑑みてなされたものであって、元原稿画像情報の校正を紙原稿上で行った場合に、紙原稿から元原稿画像情報に対する情報付加または削除の利便性を向上させることができる画像処理装置、プログラムおよび画像加工方法を提供することを目的とする。
【課題を解決するための手段】
【００１３】
上述した課題を解決し、目的を達成するために、本発明は、  元原稿画像情報および当該元原稿画像情報の格納位置を示すリンク情報が印刷された原稿についての原稿画像情報を生成する原稿画像情報生成手段と、前記原稿画像情報の前記リンク情報に従って、前記元原稿画像情報を取得する元原稿情報取得手段と、前記元原稿画像情報の画像構成を定義する画像構成ブロックを解析する画像内容解析手段と、前記原稿画像情報と前記元原稿画像情報との差分に基づいて図形として解釈される加筆情報を取得する加筆情報取得手段と、前記加筆情報の前記原稿画像情報上の位置に基づいて処理対象となる前記画像構成ブロックを選択する処理対象ブロック選択手段と、選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成手段と、生成された前記処理指示に従って前記元原稿画像情報の処理対象となる前記画像構成ブロックを加工して画像を生成する画像生成手段と、前記処理指示生成手段により複数の処理指示が生成されて、前記画像生成手段により前記画像が複数生成された場合に、前記複数の画像をユーザに提示する画像提示手段と、前記画像提示手段により提示された前記複数の画像からユーザにより選択された前記画像に対応する処理指示を選定する処理指示選定手段と、を備え、前記画像生成手段は、前記処理指示選定手段により選定された前記処理指示から最終画像を生成すること、を特徴とする。
【００１４】
また、本発明にかかるプログラムは、コンピュータを、元原稿画像情報および当該元原稿画像情報の格納位置を示すリンク情報が印刷された原稿についての原稿画像情報を生成する原稿画像情報生成手段と、前記原稿画像情報の前記リンク情報に従って、前記元原稿画像情報を取得する元原稿情報取得手段と、前記元原稿画像情報の画像構成を定義する画像構成ブロックを解析する画像内容解析手段と、前記原稿画像情報と前記元原稿画像情報との差分に基づいて図形として解釈される加筆情報を取得する加筆情報取得手段と、前記加筆情報の前記原稿画像情報上の位置に基づいて処理対象となる前記画像構成ブロックを選択する処理対象ブロック選択手段と、選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成手段と、生成された前記処理指示に従って前記元原稿画像情報の処理対象となる前記画像構成ブロックを加工して画像を生成する画像生成手段と、前記処理指示生成手段により複数の処理指示が生成されて、前記画像生成手段により前記画像が複数生成された場合に、前記複数の画像をユーザに提示する画像提示手段と、前記画像提示手段により提示された前記複数の画像からユーザにより選択された前記画像に対応する処理指示を選定する処理指示選定手段、として機能させるためのプログラムであって、前記画像生成手段は、前記処理指示選定手段により選定された前記処理指示から最終画像を生成すること、を特徴とする。
【００１５】
また、本発明にかかる画像処理方法は、画像処理装置で実行される画像処理方法であって、前記画像処理装置は、制御部と記憶部を備え、前記制御部において実行される、元原稿画像情報および当該元原稿画像情報の格納位置を示すリンク情報が印刷された原稿についての原稿画像情報を生成する原稿画像情報生成ステップと、前記原稿画像情報の前記リンク情報に従って、前記元原稿画像情報を取得する元原稿情報取得ステップと、前記元原稿画像情報の画像構成を定義する画像構成ブロックを解析する画像内容解析ステップと、前記原稿画像情報と前記元原稿画像情報との差分に基づいて図形として解釈される加筆情報を取得する加筆情報取得ステップと、前記加筆情報の前記原稿画像情報上の位置に基づいて処理対象となる前記画像構成ブロックを選択する処理対象ブロック選択ステップと、選択された１つまたは複数の処理対象となる前記画像構成ブロックと前記加筆情報とのそれぞれの内容、および前記画像構成ブロックと前記加筆情報との相対的な位置から導出される処理指示を生成する処理指示生成ステップと、生成された前記処理指示に従って前記元原稿画像情報の処理対象となる前記画像構成ブロックを加工して画像を生成する画像生成ステップと、前記処理指示生成手段により複数の処理指示が生成されて、前記画像生成手段により前記画像が複数生成された場合に、前記複数の画像をユーザに提示する画像提示ステップと、前記画像提示手段により提示された前記複数の画像からユーザにより選択された前記画像に対応する処理指示を選定する処理指示選定ステップと、を含み、前記画像生成ステップは、前記処理指示選定手段により選定された前記処理指示から最終画像を生成すること、を特徴とする。
【発明の効果】
【００１６】
本発明によれば、元原稿画像情報の校正を紙原稿上で行った場合に、処理対象となる画像構成ブロックと加筆情報との相対的な位置から複数の処理指示が生成された場合に、生成されたすべての処理指示に基づいて複数の画像を生成し、生成された複数の画像をユーザに提示し、提示された複数の画像からユーザの意図する処理指示に対応する画像の選択を受け付け、これを最終画像として生成する。これにより、紙原稿への加筆情報をコマンドとして利用して利用者の意図を正確に元原稿画像情報に反映させることができるようになるので、紙原稿から元原稿画像情報に対する情報付加または削除の利便性を向上させることができる、という効果を奏する。
【発明を実施するための最良の形態】
【００１７】
以下に添付図面を参照して、この発明にかかる画像処理装置、プログラムおよび画像加工方法の最良な実施の形態を詳細に説明する。
【００１８】
（第１の実施の形態）
本発明の第１の実施の形態を図１ないし図１２に基づいて説明する。本実施の形態は画像処理装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi Function Peripheral）と称されるカラーデジタル複合機を適用した例である。
【００１９】
図１は、本発明の第１の実施の形態にかかるカラーデジタル複合機１０００を概略的に示す構成図である。本実施の形態にかかるカラーデジタル複合機１０００は、後処理装置であるフィニシャ１００と画像読取装置であるスキャナ部２００と画像印刷装置であるプリンタ部３００とで構成されている。
【００２０】
本実施の形態にかかるカラーデジタル複合機１０００は、操作部４００（図２参照）のアプリケーション切り替えキーにより、ドキュメントボックス機能、複写機能、プリンタ機能、およびファクシミリ機能を順次に切り替えて選択することが可能となっている。ドキュメントボックス機能の選択時にはドキュメントボックスモードとなり、複写機能の選択時には複写モードとなり、プリンタ機能の選択時にはプリンタモードとなり、ファクシミリモードの選択時にはファクシミリモードとなる。ここでは、複写モードにおける画像形成の流れを例に挙げ、図１を参照して説明する。
【００２１】
まず、カラーデジタル複合機１０００のスキャナ部２００について説明する。スキャナ部２００は、概略的には、自動原稿送り装置（以後、ＡＤＦ（Auto Document Feeder）という。）１と読み取りユニット５０とで構成されている。
【００２２】
ＡＤＦ１の原稿台２に原稿の画像面を上にして置かれた原稿束は、操作部４００上のプリントキー（図示せず）が押下されると、一番下の原稿から給送ローラ３、給送ベルト４によってコンタクトガラス６上の所定の位置に給送される。なお、カラーデジタル複合機１０００は、１枚の原稿をコンタクトガラス６上の所定の位置に給送完了する毎に原稿枚数をカウントアップするカウント機能を有している。
【００２３】
コンタクトガラス６上の所定の位置に給送された原稿は、読み取りユニット５０によって画像データを読み取られる。
【００２４】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、スキャナ駆動モータ（図示せず）にて駆動される。読み取りユニット５０は、コンタクトガラス６上に原稿が搭載された場合に、露光ランプ５１を点灯し、走行体である第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００２５】
デジタルデータに変換された原稿画像情報は、例えばプリンタ部３００に送られてプリント出力として画像情報の出力が行なわれる場合や、あるいは記憶装置（例えば、図２に示すＨＤＤ１１１８）に送られて記憶される場合等、種々あり、各々のスキャナ部２００の情報として使用されている。記憶装置（例えば、図２に示すＨＤＤ１１１８）に記憶された原稿画像情報は、ドキュメントボックスモードにおいて、再出力などが可能になっている。このようなドキュメントボックス機能によれば、作業効率を大幅に向上することができるとともに、ペーパーレスを実現することができる。
【００２６】
読み取りユニット５０によって画像データの読み取りが終了した原稿は、給送ベルト４および排送ローラ５によって排出される。
【００２７】
さらに、原稿セット検知７にて原稿台２に次の原稿が有ることを検知した場合、前原稿と同様に、次の原稿がコンタクトガラス６上に給送される。
【００２８】
上述した給送ローラ３、給送ベルト４、排送ローラ５は、それぞれ搬送モータ（図示せず）によって駆動される。
【００２９】
次に、カラーデジタル複合機１０００のプリンタ部３００について説明する。プリンタ部３００は、概略的には、作像ステーション７０と定着ユニット１７と給紙部８０と両面給紙ユニット１１１とで構成されている。
【００３０】
作像ステーション７０は、電子写真方式で作像するものであり、書き込みユニット５７と、タンデム方式の４つのドラム状の感光体１５と、感光体１５毎に設けられていてシアン（Ｃ）、マゼンタ（Ｍ）、イエロー（Ｙ）、ブラック（Ｋ）の各色に対応した現像ユニット１９と、各感光体１５上に形成された画像がそれぞれの転写位置で転写紙Ｐ上に順次転写されるように用紙を搬送するベルト状の搬送ベルト１６とを主体として構成されている。
【００３１】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって搬送方向上流側に位置する感光体１５に当接する位置まで搬送される。
【００３２】
読み取りユニット５０にて読み込まれた画像データは、書き込みユニット５７から出力されるレーザビームによって各感光体１５に書き込まれ、各現像ユニット１９を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、各感光体１５の一端近傍のレーザビームを照射される位置に、主走査同期信号を発生するビームセンサが配置されている。
【００３３】
各感光体１５上の各色のトナー像は、各感光体１５の回転と等速で搬送ベルト１６によって搬送される転写紙Ｐ上に転写されることにより、転写紙Ｐ上にカラー画像が形成される。その後、定着ユニット１７に搬送されて画像を定着された転写紙Ｐは、排紙ユニット１８によって後処理装置であるフィニシャ１００に排出される。
【００３４】
後処理装置のフィニシャ１００は、排紙ユニット１８の排紙ローラ１８ａによって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００３５】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００３６】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００３７】
本実施の形態にかかるカラーデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び各感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００３８】
図２は、カラーデジタル複合機１０００のハードウェア構成を示すブロック図である。図２に示すように、このカラーデジタル複合機１０００は、コントローラ１１０１とプリンタ部３００及びスキャナ部２００とをＰＣＩ（Peripheral Component Interconnect）バスで接続した構成となる。コントローラ１１０１は、カラーデジタル複合機１０００全体の制御と描画、通信、操作部４００からの入力を制御するコントローラである。なお、プリンタ部３００又はスキャナ部２００には、誤差拡散やガンマ変換などの画像処理部分が含まれる。
【００３９】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００４０】
ＣＰＵ１１１１は、カラーデジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００４１】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００４２】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００４３】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００４４】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００４５】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００４６】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００４７】
次に、本実施の形態のカラーデジタル複合機１０００のコントローラ１１０１がプログラムに従って実現する特徴的な機能であるドキュメントボックス機能の選択時における画像加工処理について説明する。
【００４８】
ここで、図３はドキュメントボックス機能の選択時における画像加工処理にかかる機能構成を示すブロック図、図４は画像加工処理の流れを示すフローチャートである。図３に示すように、カラーデジタル複合機１０００は、ＣＰＵ１１１１がプログラムに従うことにより、原稿画像情報生成手段２１と、元原稿情報取得手段２２と、画像内容解析手段２３と、加筆情報取得手段２４と、処理対象ブロック選択手段２５と、処理指示生成手段２６と、画像生成手段２７と、処理指示画像提示手段２８と、処理指示選定手段２９とを実現する。
【００４９】
原稿画像情報生成手段２１は、スキャナ部２００を動作させて読み取った原稿に基づいて原稿画像情報を生成する（図４に示すステップＳ１）。こうして生成された原稿画像情報は、ドキュメントボックス機能の選択時においては、ＨＤＤ１１１８に記憶される場合と、ＨＤＤ１１１８に記憶されている原稿画像情報の加筆修正に用いられる場合とがある。ここでは、ＨＤＤ１１１８に記憶されている原稿画像情報の加筆修正のために、原稿画像情報が生成されたものとする。
【００５０】
ここで、ＨＤＤ１１１８に記憶されている原稿画像情報の加筆修正に用いられる原稿の一例を図５に示す。図５に示すように、原稿Ｄは、全体がシート状に形成されたもので、例えば、Ａ４判サイズのものが用いられている。これらの原稿Ｄには、カラーデジタル複合機１０００のＨＤＤ１１１８に格納されている各種の原稿画像情報が１画面単位で各々プリンタ部３００により予め印刷されているとともに、後述するように、その印刷時にカラーデジタル複合機１０００のＨＤＤ１１１８内の原稿画像情報であることを示すリンク情報が２次元コードＣの形態で印刷されている。
【００５１】
原稿Ｄに印刷されているリンク情報（２次元コードＣ）について説明する。この２次元コードＣは前述したようにその原稿Ｄに印刷されている原稿画像情報がＨＤＤ１１１８内の原稿画像情報であることを示すものであるが、その２次元コードＣが表現するものとしては、例えば、文書名、ページ番号、装置名、そのＩＰアドレス等があり、「￥￥装置名（装置のＩＰアドレス）￥ドライブ名￥フォルダ名￥文書名￥ページ」のようなディレクトリ構造により、その文書（最小は、１ページ分）の格納してある個所（情報蓄積個所）を一義的に特定し得るものであれば良い。
【００５２】
また、リンク情報が格納されるコードシンボルとしては、１次元バーコード等であってもよいが、文書ＩＤ用として多種多様にわたる文書を分類する必要があり、１次元バーコード等では分類数が不足してしまうことを考えると、本実施の形態のように格段に容量の大きい２次元コードＣを用いることが望ましい。
【００５３】
元原稿情報取得手段２２は、原稿画像情報生成手段２１で生成された原稿画像情報に付与されているリンク情報に従い、オリジナルの原稿画像情報（元原稿画像情報）をＨＤＤ１１１８から取得する（図４に示すステップＳ２）。より詳細には、元原稿情報取得手段２２は、読み取った原稿画像情報の予め決められた位置に付与されている２次元コードＣをデコードすることによりリンク情報を取得し、取得したリンク情報に従ってオリジナルの原稿画像情報をＨＤＤ１１１８から取得する。
【００５４】
画像内容解析手段２３は、元原稿情報取得手段２２で取得されたオリジナルの原稿画像情報の内容を解析する（図４に示すステップＳ３）。より具体的には、元原稿情報取得手段２２で取得されたオリジナルの原稿画像情報の領域抽出処理を行うことにより、オリジナルの原稿画像情報の画像構成を定義する画像構成ブロックの階層構造を求める。ここで、画像構成ブロックとは、原稿（原稿画像情報）Ｄ上の文字、形態素、文、段落、図、写真などである。領域抽出処理は、オリジナルの原稿画像情報に対して光学式文字認識を行うＯＣＲ処理などの各種の画像解析処理を実行して原稿画像の画像属性を表す様々な画像特性値を算出した後、算出された各種の画像特性値に基づいて画像構成ブロックの抽出を行う。図６は、図５に示すオリジナルの原稿画像情報における画像構成ブロックの抽出例である。なお、オリジナルの原稿画像情報の内容（画像構成ブロック）をメタ情報としてオリジナルの原稿画像情報に持たせるようにしても良い。
【００５５】
加筆情報取得手段２４は、原稿画像情報生成手段２１で生成された原稿画像情報と、元原稿情報取得手段２２で取得したオリジナルの原稿画像情報との差分をとり、この差分を加筆情報とする（図４に示すステップＳ４）。本実施の形態における加筆情報は、“○”や“×”に代表されるような図形である。詳細は後述するが、この図形は、ＨＤＤ１１１８に記憶されている原稿画像情報の加筆修正のためのコマンドとなる。
【００５６】
処理対象ブロック選択手段２５は、加筆情報取得手段２４で取得した加筆情報の原稿画像情報上の位置に基づき、画像内容解析手段２３で解析した画像構成ブロックの中から処理対象となる画像構成ブロックを選択する（図４に示すステップＳ５）。
【００５７】
処理指示生成手段２６は、処理対象ブロック選択手段２５で選択された１つまたは複数の処理対象となる画像構成ブロックと加筆情報取得手段２４で取得した加筆情報とのそれぞれの内容、および画像構成ブロックと加筆情報との相対的な位置に応じて加筆情報が示す処理指示（コマンド）を解釈し、解釈した処理指示を生成する（図４に示すステップＳ６）。ここで、図形は手書きで加筆されることから、ぶれが生じたり、異なる図形が二重に加筆されたりすることにより、処理指示の解釈が複数生じる場合がある。このように、処理指示の解釈が複数生じるケースについての詳細は後述する。
【００５８】
以下において、画像構成ブロックと加筆情報とのそれぞれの内容、および画像構成ブロックと加筆情報との相対的な位置に応じた処理指示の生成について例示的に説明する。
（１）処理指示生成手段２６は、加筆情報が処理対象の画像構成ブロックの領域と交差するか否かに従って処理指示を生成する。具体的には、加筆した線分、閉曲線などが画像構成ブロックと交差するか否かによって、元原稿画像情報上の画像構成ブロックの削除、または強調表示を行う。原稿の一部に図（画像構成ブロック）が描かれており、図部分と加筆情報が多く交わっている場合には、利用者はこの図を操作対象としたいことが予測できる。なお、画像内容解析手段２３によって該当図の範囲を求めることができるため、ユーザは対象とする図を正確に囲むように描画しなくても、対象図を正確に選択できる。また、文章中の文字列に対しても、該当する文字列を囲むことで範囲選択が可能である。
（２）処理指示生成手段２６は、加筆情報に含まれる画像の特徴情報であるサイズ（例えば、「丸」の大きさ、線の太さなどである）に従って異なる処理指示を生成する。具体的には、加筆された「丸」などの大きさに応じて、選択された画像構成ブロックの画像の強調レベルを変更する。これにより、簡易な操作によって画像構成ブロックの強調レベルを変更でき、紙原稿を電子化した際に、加筆内容に従って画像構成ブロックが強調され、元原稿画像情報への情報付加の利便性が向上する。
（３）処理指示生成手段２６は、加筆情報に含まれる画像の特徴情報である多重度（線分の重ね合わせ、閉曲線の重ね合わせ）に従って異なる処理指示を生成する。具体的には、画像の多重度は二重丸などである。具体的には、加筆された「丸」などの多重度（二重丸、三重丸など）に応じて、選択された画像構成ブロックの画像の強調レベルを変更する。これにより、簡易な操作によって画像構成ブロックの強調レベルを変更でき、紙原稿を電子化した際に、加筆内容に従って画像構成ブロックが強調され、元原稿画像情報への情報付加の利便性が向上する。
（４）処理指示生成手段２６は、処理対象の画像構成ブロックが文字、写真、または図であるか判別し、判別結果に従って異なる処理指示を生成する。例えば処理対象となる画像構成ブロック（文字、形態素、文、段落、図、写真など）に応じて、加筆された線や丸などの処理を変更することにより、図上の加筆線では線分が追加され、文字上の加筆線では削除が実行されるなどのように異なる処理指示を生成することができるので、加筆対象に従って元原稿画像情報への情報付加、削除の利便性が向上する。
（５）処理指示生成手段２６は、処理指示として、元原稿画像情報の削除、元原稿画像情報の表示方法の変更（フォントの拡大・縮小、強調表示）、元原稿画像情報の画像の拡大・縮小、トリミングのいずれかを生成する。
【００５９】
画像生成手段２７は、処理指示生成手段２６で生成された処理指示に従い、リンク情報に基づいて取得したＨＤＤ１１１８内のオリジナルの原稿画像情報を加工し、ＨＤＤ１１１８にオリジナルとして格納する（図４に示すステップＳ７）。
【００６０】
ここで、処理指示生成手段２６および画像生成手段２７における処理の一例について説明する。
【００６１】
ここで、図７は加筆情報の一例を示す正面図、図８はその処理結果を示す正面図である。図７に示す例は、例えば、画像構成ブロックが文字行である場合において、行間の無地部分に書き込みをした場合（図７のＸ）と、文字の上に線をひいた場合（図７のＹ）と、行間の無地部分と文字の上の両方に線をひいた場合（図７のＺ）とを示す。
【００６２】
これらの場合においては、使用者の意図は異なってくる。図７のＸは、その近傍部分を強調したり索引対象としたい場合が多いのに対して、図７のＹは削除対象であったりする場合が多い。また、図７のＺは、索引対象としたい場合も、削除対象としたい場合もある。したがって、処理指示生成手段２６においては、図７のＸやＹのように、加筆情報が明確であり加筆情報から処理指示を一義的に決定できる場合には、加筆情報が処理対象の画像構成ブロックの領域と交差するか否かに従って処理指示を生成する。すなわち、図７のＸに示すように、加筆情報が処理対象の画像構成ブロックの領域と交差していない場合には、処理指示生成手段２６は加筆情報の近傍部分を強調する処理指示を生成し、画像生成手段２７は図８のＡに示すように画像構成ブロックをハイライト表示する。また、図７のＹに示すように、加筆情報が処理対象の画像構成ブロックの領域と交差している場合には、処理指示生成手段２６は削除処理指示を生成し、画像生成手段２７は図８に示すように削除指示された画像構成ブロックを削除する。
【００６３】
一方、図７のＺのように、加筆情報が不明確であり解釈が複数生じる場合には、加筆情報が処理対象の画像構成ブロックの領域と交差しないと解釈した処理指示と、加筆情報が画像構成ブロックの領域と交差すると解釈した処理指示とを生成する。図７のＺに示す場合について以下に説明する。
【００６４】
処理指示生成手段２６は、処理対象ブロック選択手段２５で選択された１つまたは複数の処理対象となる画像構成ブロックと加筆情報取得手段２４で取得した加筆情報とのそれぞれの内容、および画像構成ブロックと加筆情報との相対的な位置に応じて処理指示を解釈する（図４に示すステップＳ６）。ここで、加筆情報取得手段２４で取得した加筆情報が不明瞭である場合には、何通りかの解釈が生じ、一義的に処理指示を特定できない。この場合には、処理指示生成手段２６は、解釈された複数の処理指示すべてを生成する。
【００６５】
画像生成手段２７は、処理指示生成手段２６により生成された処理指示のそれぞれに基づく処理結果画像を生成し、生成した処理結果画像を記憶手段３０に記憶させる（図４に示すステップＳ７）。また、以下に説明する画像提示手段２８から選定された処理指示を受信し、受信した処理指示に基づいて最終画像を生成し、生成した最終画像を記憶手段３０に記憶させる（図４に示すステップＳ１０）。
【００６６】
画像提示手段２８は、画像生成手段２７により複数の処理指示が解釈されて、複数の処理指示が生成された場合に、生成された処理指示によるすべての処理結果画像を記憶手段３０から取得し、ユーザに提示する（図４に示すステップＳ８）。
【００６７】
処理指示選定手段２９は、画像提示手段２８により提示された複数の処理結果画像から一つの画像を選定し、選定した画像を画像生成手段２７に送信する（図４に示すステップＳ９）。
【００６８】
ここで、処理指示生成手段２６により複数の処理指示が生成された場合の一連の処理について説明する。
【００６９】
処理指示生成手段２６が複数の処理指示を解釈した場合には、処理指示生成手段２６は、複数の解釈それぞれに対応するすべての処理指示を生成する。例えば、図７のＺのように、加筆情報は一つの文に引かれている線であって、この線は一部の文字とは交差しているが、一部の文字とは交差していないような場合が考えられる。この場合、処理指示生成手段２６は、当該線が示す処理指示を、強調のコマンドとも、削除のコマンドとも解釈できるので、当該文を強調する処理指示と、削除する処理指示の２つを生成する。
【００７０】
このように、処理指示が複数生成されると、画像生成手段２７は、複数の処理指示に基づく複数の処理結果画像を生成し、画像提示手段２８は、生成された複数の処理結果画像をユーザに提示する。
【００７１】
ここで、画像提示手段２８によるユーザへの処理結果画像の提示方法を図９を用いて例示する。図９は、サムネイル画像の一覧を示す正面図である。画像提示手段２８は、図９のＯに示すように、まず、画像生成手段２７により生成された複数の処理結果画像をそれぞれ縮小し、縮小したサムネイル画像を複数列挙して一覧にして印刷により出力する。図９のＯに示すように、出力された用紙には、例えば、第１候補として、強調処理がされた画像が、第２候補として、削除処理がされた画像が、第３候補として、拡大処理がされた画像が列挙され、各画像を選択する選択ボックスが表示されている。次に、図９のＰに示すように、ユーザが第２候補の削除処理がされた画像の正解ボックスをチェックすると、処理指示選定手段２９は、用紙を再度読み込み、ユーザにより選択された第２候補の削除の処理指示を画像生成手段２７に送信する。これを受信した画像生成手段２７は、対象となる画像構成ブロックを削除する処理を実行することにより、最終画像Ｑを生成し、最終画像Ｑを記憶手段３０に記憶させる。なお、図７に示したＺが削除された図９の最終画像Ｑは、図８と同じ処理結果となる。
【００７２】
すなわち、本実施の形態においては、加筆された軌跡が、原稿（原稿画像情報）Ｄ上のどの画像構成ブロック上に位置するかを解析することで、編集対象範囲が選択できるようになっている。また、図表の周辺またはそれ自体を多く囲むことで、その図表を選択したいという意図を感じることができる。そのようなことから、手書きの加筆情報が原稿（原稿画像情報）Ｄ上のどの画像構成ブロックを通過するかにより、加筆情報の処理方法の意図を推測することができる。
【００７３】
このように本実施の形態によれば、元原稿画像情報の校正を紙原稿上で行った場合の原稿画像情報と元原稿画像情報との差分をとることにより取得された加筆情報と当該加筆情報の原稿画像情報上の位置に基づいて選択された１つまたは複数の処理対象となる画像構成ブロック（文字、形態素、文、段落、図、写真など）とのそれぞれの内容、および画像構成ブロックと加筆情報との相対的な位置に応じて処理指示（「削除」、「強調表示」、「拡大」など）を選択し、選択された処理指示に従って元原稿画像情報の処理対象となる画像構成ブロックを生成する。また、処理指示の解釈が複数生じる場合には、複数の処理指示をユーザに提示し、選択を受け付け、選択を受け付けた処理指示を生成する。これにより、元原稿画像情報の校正を紙原稿上で行った場合に、処理対象となる画像構成ブロックと加筆情報との相対的な位置に応じて処理指示を生成することで紙原稿への加筆情報をコマンドとして利用して利用者の意図を正確に元原稿画像情報に反映させることができるようになるので、紙原稿から元原稿画像情報に対する情報付加または削除の利便性を向上させることができる。
【００７４】
ところで、上述したように、紙原稿への加筆情報を元原稿画像情報の加筆修正のためのコマンドとして利用しているが、解決せねばならない課題がある。ここで課題となるのは、加筆情報は“○”や“×”に代表されるような図形であるため、紙原稿に加筆された内容を文字として解釈するか図形として解釈するかということである。例えば、原稿に四角形が加筆されている場合、それが、“口”を意味する文字なのか“四角”を表現した図形なのかを判別する必要がある。これが問題となるのは、その結果により後処理の仕方が異なるためである。
【００７５】
そこで、加筆情報取得手段２４においては、取得した加筆情報（差分）について、文字として解釈するか図形として解釈するかを判定するようにしている。この点について、以下において詳述する。
【００７６】
図１０は、加筆情報取得手段２４における判定処理の流れを示すフローチャートである。図１０に示すように、まず、取得した加筆情報（差分）が画像構成ブロック“文字行”と交わるか、もしくは画像構成ブロック“文字行”の近傍に位置しているかを判定する（ステップＳ１１）。加筆情報（差分）が画像構成ブロック“文字行”と交わっておらず、画像構成ブロック“文字行”の近傍に位置していないと判定した場合には（ステップＳ１１のＮｏ）、加筆情報の大きさが画像構成ブロック“文字”の大きさと近似しているか否かを判定する（ステップＳ１２）。
【００７７】
加筆情報（差分）が画像構成ブロック“文字行”と交わっている、もしくは画像構成ブロック“文字行”の近傍に位置していると判定した場合（ステップＳ１１のＹｅｓ）、または、加筆情報の大きさが画像構成ブロック“文字”の大きさと近似していると判定した場合には（ステップＳ１２のＹｅｓ）、取得した加筆情報を文字とみなす（ステップＳ１３）。
【００７８】
一方、加筆情報の大きさが画像構成ブロック“文字”の大きさと近似していないと判定した場合には（ステップＳ１２のＮｏ）、取得した加筆情報を図形とみなす（ステップＳ１４）。
【００７９】
このように本実施の形態によれば、紙原稿上の加筆情報と原稿上の画像構成ブロックとの相対的な位置関係および大きさの近似性に従って加筆情報が文字なのか図形なのかを判別するようにしたことにより、紙原稿への加筆情報（図形）を元原稿画像情報の加筆修正のためのコマンドとして利用する場合に、利用者の意図を正確に元原稿画像情報に反映させることができるようになるので、紙原稿から元原稿画像情報に対する情報付加または削除の利便性を向上させることができる。
【００８０】
なお、取得した加筆情報が文字とみなされた場合には、加筆情報（文字）をコマンドとして利用せずに、加筆情報（文字）を文字認識するなどした後、元原稿画像情報に対して情報付加・置換処理される。
【００８１】
ここで、図１１のフローチャートは図１０のフローチャートの変形例である。図１０では加筆情報が画像構成ブロック“文字行”の「近くにある」か、加筆情報が画像構成ブロック“文字”と「大きさが近い」か、の順で判定している。図１１では、加筆情報が画像構成ブロック“文字”と「大きさが近い」か、加筆情報が画像構成ブロック“文字行”の「近くにある」か、の順で判定している。
【００８２】
図１１に示すように、まず、取得した加筆情報（差分）の大きさが画像構成ブロック“文字”の大きさと近似しているか否かを判定する（ステップＳ２１）。加筆情報の大きさが画像構成ブロック“文字”の大きさと近似していないと判定した場合には（ステップＳ２１のＮｏ）、加筆情報が画像構成ブロック“文字行”と交わるか、もしくは画像構成ブロック“文字行”の近傍に位置しているかを判定する（ステップＳ２２）。
【００８３】
加筆情報の大きさが画像構成ブロック“文字”の大きさと近似していると判定した場合（ステップＳ２１のＹｅｓ）、または、加筆情報が画像構成ブロック“文字行”と交わっている、もしくは画像構成ブロック“文字行”の近傍に位置していると判定した場合には（ステップＳ２２のＹｅｓ）、取得した加筆情報を文字とみなす（ステップＳ２３）。
【００８４】
一方、加筆情報が画像構成ブロック“文字行”と交わっておらず、画像構成ブロック“文字行”の近傍に位置していないと判定した場合には（ステップＳ２２のＮｏ）、取得した加筆情報を図形とみなす（ステップＳ２４）。
【００８５】
なお、本実施の形態においては、カラーデジタル複合機１０００に備えられるＨＤＤ１１１８内のオリジナルの原稿画像情報の処理対象となる画像構成ブロックを加工するようにしたが、これに限るものではなく、カラーデジタル複合機１０００に対しネットワークＩ／Ｆ部１１０４、ＵＳＢ１１２２、ＩＥＥＥ１３９４インタフェース１１２３などを介して接続される外部機器に設けられたＨＤＤなどの記憶部内のオリジナルの原稿画像情報の処理対象となる画像構成ブロックを加工することもできる。
【００８６】
なお、本実施の形態のカラーデジタル複合機１０００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００８７】
また、本実施の形態によるカラーデジタル複合機１０００で実行されるプログラムを、インターネット等のネットワークに接続されたコンピュータ上に格納し、ネットワーク経由でダウンロードさせることにより提供するように構成しても良い。また、本実施の形態のカラーデジタル複合機１０００で実行されるプログラムをインターネット等のネットワーク経由で提供または配布するように構成しても良い。
【００８８】
さらに、本実施の形態においては、画像処理装置としてＭＦＰと称されるカラーデジタル複合機１０００を適用したが、これに限るものではない。例えば、図１２に示すように、画像印刷装置であるプリンタ装置１２０２および画像読取装置であるスキャナ装置１２０４をパーソナルコンピュータ１２０１にケーブル１２０３を介して接続するとともに、この画像処理装置であるパーソナルコンピュータ１２０１のＨＤＤなどの記憶装置（図示せず）に所定のプログラムをインストールし、このプログラムに従ってパーソナルコンピュータ１２０１のＣＰＵ（図示せず）を動作させることによっても、上述したような各種の作用効果と同様の作用効果を得ることができる。
【００８９】
（第２の実施の形態）
次に、本発明の第２の実施の形態を図１３に基づいて説明する。なお、前述した第１の実施の形態と同じ部分は同じ符号で示し説明も省略する。
【００９０】
第１の実施の形態では、画像提示手段２８は、処理指示生成手段２６により生成された複数の処理結果画像を、サムネイル画像の一覧として印刷した。これに対して、本実施の形態では、画像提示手段２８は、処理指示生成手段２６により生成された各処理結果画像のうち、処理対象となる部分を切り出して拡大表示した切り出し画像として印刷する。
【００９１】
図１３は、切り出し画像を示す正面図である。ここで、原稿に、原稿の一部を縮小表示する処理を指定する加筆情報として“○”の図形が挿入されているが、その範囲が不明瞭であったとする。縮小する範囲を決定し、その範囲についての処理結果を生成する手順を説明する。
【００９２】
画像提示手段２８は、処理指示生成手段２６により生成された複数の処理結果画像から、加筆情報が付加されている部分を切り出し、切り出した部分画像を順次ユーザに提示する。例えば、図１３のＲに示すように、第１候補として、「あいうえお」の部分を拡大し、拡大した画像を印刷により出力する。画像提示手段２８は、第１候補である画像（図１３のＲ）を印刷すると、図１３のＳに示すように、第２候補として、「あいうえおかきく」の部分を拡大し、拡大した画像Ｓを印刷する。ここで、ユーザは、第２候補である画像Ｓを正解と判断すると、用紙Ｔのように第２候補の正解ボックスにチェックを入れる。処理指示選定手段２９は、チェックが入れられた用紙Ｔを読み込み、候補２の範囲を縮小する処理指示を画像生成手段２７に送信する。これを受信した画像生成手段２７は、対象となる候補２に該当する画像構成ブロックを縮小する処理を実行することにより、最終画像Ｕを生成し、最終画像Ｕを記憶手段３０に記憶させる。
【００９３】
また、画像提示手段２８は、画像を提示する際に、記憶手段３０を参照して、記憶手段３０に最終画像として記憶されている件数が多い画像の順に提示することも可能である。
【００９４】
さらに、図９に示したサムネイル画像による提示と図１３に示した切り出し画像による提示とは、どちらかを単独で実施してもよい。または、最初にサムネイル画像により候補の上位何件か分を提示し、提示した中に正解がなかった場合に切り出し画像により提示してもよい。さらには、候補を出力する方法については、切り出し画像による方法において、次の候補を提示させる際に、自動的に候補の件数分を出力してもよいし、キーの押下などによる何らかのユーザアクションによって出力してもよい。なお、サムネイル画像による場合であっても候補が多く１画面に表示できないときも、同様である。
【００９５】
このように本実施の形態によれば、加筆情報を付加する対象または範囲が不明瞭な場合であっても、元原稿画像情報に加筆情報を付加する際に、対象部分を切り出して拡大表示することにより、正確に処理することができる。
【００９６】
（第３の実施の形態）
次に、本発明の第３の実施の形態を図１４に基づいて説明する。なお、前述した第１の実施の形態と同じ部分は同じ符号で示し説明も省略する。
【００９７】
本実施の形態では、加筆情報取得手段２４における加筆情報（差分）についての文字または図形の判定を、加筆情報が画像構成ブロック“文字行”の「近くにある」についての評価値と加筆情報が画像構成ブロック“文字”と「大きさが近い」についての評価値とを算出した後、各評価値に基づいて総合的に判定するようにしたものである。
【００９８】
図１４は、加筆情報取得手段２４における判定処理の流れを示すフローチャートである。図１４に示すように、まず、取得した加筆情報（差分）と画像構成ブロック“文字行”との近接度Ｄを求める（ステップＳ３１）。ここで、近接度Ｄとは、加筆情報と画像構成ブロック“文字行”との位置の近さのことである。加筆情報と画像構成ブロック“文字行”とが近い位置にある方が、加筆情報が文字である可能性が高いということである。
【００９９】
次いで、加筆情報と画像構成ブロック“文字”との近似度Ｓを求める（ステップＳ３２）。ここで、近似度Ｓとは、加筆情報と画像構成ブロック“文字”との大きさの近さのことである。加筆情報と画像構成ブロック“文字”との大きさが近い方が、加筆情報が文字である可能性が高いということである。
【０１００】
続くステップＳ３３では、近接度Ｄと近似度Ｓから文字可能性Ｐを求める。文字可能性Ｐは、加筆情報が文字である可能性を示すものである。このような文字可能性Ｐは、計算により算出されるものであっても良いし、テーブルから求められるものであっても良い。
【０１０１】
本実施の形態においては、文字可能性Ｐが“０．５”以上である場合には（ステップＳ３４のＹｅｓ）、取得した加筆情報を文字とみなす（ステップＳ３５）。また、文字可能性Ｐが“０．５”未満である場合には（ステップＳ３４のＮｏ）、取得した加筆情報を図形とみなす（ステップＳ３６）。
【０１０２】
このように本実施の形態によれば、紙原稿上の加筆情報と原稿上の画像構成ブロックとの相対的な位置関係および大きさに従って加筆情報が文字なのか図形なのかを判別するようにしたことにより、紙原稿への加筆情報（図形）を元原稿画像情報の加筆修正のためのコマンドとして利用する場合に、利用者の意図を正確に元原稿画像情報に反映させることができるようになるので、紙原稿から元原稿画像情報に対する情報付加または削除の利便性を向上させることができる。
【０１０３】
なお、取得した加筆情報が文字とみなされた場合には、加筆情報（文字）をコマンドとして利用せずに、加筆情報（文字）を文字認識するなどした後、元原稿画像情報に対して情報付加・置換処理される。
【図面の簡単な説明】
【０１０４】
【図１】本発明の第１の実施の形態にかかるカラーデジタル複合機を概略的に示す構成図である。
【図２】カラーデジタル複合機のハードウェア構成を示すブロック図である。
【図３】画像加工処理にかかる機能構成を示すブロック図である。
【図４】画像加工処理の流れを示すフローチャートである。
【図５】原稿画像情報の加筆修正に用いられる原稿の一例を示す正面図である。
【図６】画像構成ブロックの抽出例を示す模式図である。
【図７】加筆情報の一例を示す正面図である。
【図８】処理結果を示す正面図である。
【図９】サムネイルの一例を示す正面図である。
【図１０】加筆情報取得手段における判定処理の流れを示すフローチャートである。
【図１１】判定処理の変形例の流れを示すフローチャートである。
【図１２】画像処理システムの概略構成例を示すブロック図である。
【図１３】切り出し画像の一例を示す正面図である。
【図１４】本発明の第２の実施の形態にかかる加筆情報取得手段における判定処理の流れを示すフローチャートである。
【符号の説明】
【０１０５】
２１      原稿画像情報生成手段
２２      元原稿情報取得手段
２３      画像内容解析手段
２４      加筆情報取得手段
２５      処理対象ブロック選択手段
２６      処理指示生成手段
２７      画像生成手段
２８      画像提示手段
２９      処理指示選定手段
１０００      カラーデジタル複合機
１２０１      パーソナルコンピュータ
Ｃ      リンク情報
Ｄ      原稿
【図１】
2010074447.tif 000003
【図２】
2010074447.tif 000004
【図３】
2010074447.tif 000005
【図４】
2010074447.tif 000006
【図５】
2010074447.tif 000007
【図６】
2010074447.tif 000008
【図７】
2010074447.tif 000009
【図８】
2010074447.tif 000010
【図９】
2010074447.tif 000011
【図１０】
2010074447.tif 000012
【図１１】
2010074447.tif 000013
【図１２】
2010074447.tif 000014
【図１３】
2010074447.tif 000015
【図１４】
2010074447.tif 000016